(57)【要約】      （修正有）【課題】止滑機能を具え、色落ちしない多色様態及び各種図形パターンを具え、外観がよく、変化に富み、単調でない等の効果を有する運動用マットの提供。【解決手段】多色マット１と図形パターン２を具え、該多色マットは未発泡成形の止滑糊材に異なる色系の顔料を添加し、該止滑糊材中に網状基材を浸漬し、該網状基材の表面に止滑糊材を結合させ並びに発泡成形してなり、該図形パターンは、ポリウレタンを材料としてスクリーン印刷方式で前述の多色マットに印刷される。これにより、環境保護機能と美観（色落ちしない多色様態と各種図形パターン）を有し、スムースなところとスムースでないところを自由に選択して運動に用いることができるよう形成された。【選択図】図３
0003105101.tif 000002
【実用新案登録請求の範囲】
【請求項１】
図形パターンを具えた多色の運動用マットにおいて、該運動用マットは多色マットと図形パターンを具え、
該多色マットは、網状基材が異なる色系の顔料が添加された未発泡成形の止滑糊材に浸漬されて網状基材の表面に止滑糊材が結合され並びに発泡成形されてなり、
該図形パターンは、ポリウレタン材料がスクリーン印刷方式で前述の多色マットの上に印刷されてなることを特徴とする、図形パターンを具えた多色の運動用マット。
【請求項２】
請求項１記載の図形パターンを具えた多色の運動用マットにおいて、多色マットがポリ塩化ビニルを主材料としたことを特徴とする、図形パターンを具えた多色の運動用マット。
【請求項３】
請求項１記載の図形パターンを具えた多色の運動用マットにおいて、多色マットが環境調和型高分子樹脂を主材料としたことを特徴とする、図形パターンを具えた多色の運動用マット。
【請求項４】
請求項１記載の図形パターンを具えた多色の運動用マットにおいて、図形パターンと多色マットとの間が、相互に交錯し、且つ離間するよう設けられたことを特徴とする、図形パターンを具えた多色の運動用マット。
【請求項５】
請求項１記載の図形パターンを具えた多色の運動用マットにおいて、多色マットが六等分され、その中間の四等分部分に図形パターンが形成されたことを特徴とする、図形パターンを具えた多色の運動用マット。
【考案の詳細な説明】
【技術分野】
【０００１】
本考案は一種の図形パターンを具えた多色の運動用マットに係り、特にヨガ用マット等の運動用マットにあって、止滑機能を具備するほか、色が落ちない多色態様及び各種図形パターンを具え、これにより外観が良く、変化に富み、単調でなく、環境保護機能を有し、スムースなところとスムースでないところを自由に選択して運動に用いることができる、図形パターンを具えた多色の運動用マットに関する。
【背景技術】
【０００２】
現在、自宅で運動する人はますます多くなり、その運動時には止滑による転倒或いは硬いフロアに衝突しての怪我を防止するために、運動用マットを敷かねばならない。ヨガを行なう人であれば、運動時にはヨガ用マットを敷く。
【０００３】
しかし現在、どの運動用マットも、単一色とされ且つ図形パターンを具備せず、美観性が不足し、また単調過ぎるため、改善の必要がある。
【０００４】
既に止滑マット表面をカラーコーティング或いはスプレーコーティングして製品に多色或いは図形パターンを具備させたものもあるが、却って色が落ちやすいという欠点がある。
【考案の開示】
【考案が解決しようとする課題】
【０００５】
上記従来の技術の問題点を鑑み、本考案はそれを改善した一種の図形パターンを具えた多色の運動用マットを提供するものである。
【０００６】
即ち本考案の主要な目的は、一種の図形パターンを具えた多色の運動用マットを提供することにあり、それは、運動用マットに止滑機能のほか、色落ちしない多色態様、及び各種の図形パターンを設け、外観を良くし、変化を増し、不単調としたものとする。
【０００７】
本考案の次の目的は、一種の図形パターンを具えた多色の運動用マットを提供することにあり、それは、運動用マットの止滑特性、及び図形パターンのスムースな特性を相互に交錯し、且つ離間するように配置することで、防滑過度となったり、過度にスムースとなるのを防止してその間の特徴を有するようにし、これにより運動者に受け入れやすくしたものとする。
【０００８】
本考案の別の目的は、一種の図形パターンを具えた多色の運動用マットを提供することにあり、それは、スムースな図形パターンを中間の六分の四の部分に設け、両側の各六分の一の部分をスムースでなくし、運動者が自由に選択し、スムースな部分を必要とする場合には中間の図形パターン印刷部分を使用し、しっかり固定して滑らないようにしたい時は、両側の図形パターン未印刷の部分を使用できるようにしたものとする。
【０００９】
本考案の更に別の目的は、一種の図形パターンを具えた多色の運動用マットを提供することにあり、それは、図形パターンを運動種類に合わせて設け、例えばヨガ用マットであればインド図形パターンを印刷して美観とインド風情を具備させ、ヨガがインドより渡来した事実に符合させるようにしたものとする。
【課題を解決するための手段】
【００１０】
請求項１の考案は、図形パターンを具えた多色の運動用マットにおいて、該運動用マットは多色マットと図形パターンを具え、
該多色マットは、網状基材が異なる色系の顔料が添加された未発泡成形の止滑糊材に浸漬されて網状基材の表面に止滑糊材が結合され並びに発泡成形されてなり、
該図形パターンは、ポリウレタン材料がスクリーン印刷方式で前述の多色マットの上に印刷されてなることを特徴とする、図形パターンを具えた多色の運動用マットとしているとしている。
請求項２の考案は、請求項１記載の図形パターンを具えた多色の運動用マットにおいて、多色マットがポリ塩化ビニルを主材料としたことを特徴とする、図形パターンを具えた多色の運動用マットとしている。
請求項３の考案は、請求項１記載の図形パターンを具えた多色の運動用マットにおいて、多色マットが環境調和型高分子樹脂を主材料としたことを特徴とする、図形パターンを具えた多色の運動用マットとしている。
請求項４の考案は、請求項１記載の図形パターンを具えた多色の運動用マットにおいて、図形パターンと多色マットとの間が、相互に交錯し、且つ離間するよう設けられたことを特徴とする、図形パターンを具えた多色の運動用マットとしている。
請求項５の考案は、請求項１記載の図形パターンを具えた多色の運動用マットにおいて、多色マットが六等分され、その中間の四等分部分に図形パターンが形成されたことを特徴とする、図形パターンを具えた多色の運動用マットとしている。
【考案の効果】
【００１１】
本考案の提供する図形パターンを具えた多色の運動用マットは、止滑、環境保護、美観（色落ちしにくい多色様態、及び各種図形パターン）を達成し、またスムースな部分と非スムースな部分を有して使用者が自由に選択して運動に使用でき、産業上の利用価値と新規性を有している。本考案は従来の技術の問題点を解決し、その機能は向上されており、実用新案登録の要件を具備している。
【考案を実施するための最良の形態】
【００１２】
上述の本考案の目的を達成するため、本考案は一種の図形パターンを具えた多色の運動用マットを提供し、それは、多色マットと図形パターンを具え、該多色マットは未発泡成形の止滑糊材に異なる色系の顔料を添加し、該止滑糊材中に網状基材を浸漬し、該網状基材の表面に止滑糊材を結合させ並びに発泡成形してなり、該図形パターンは、ポリウレタンを材料としてスクリーン印刷方式で前述の多色マットに印刷されてなる。
【実施例１】
【００１３】
図１から図３に示されるように、本考案は一種の図形パターンを具えた多色の運動用マットを提供し、それは多色マット１と該多色マット１上に形成された図形パターン２を具えている。
【００１４】
図１、２に示されるように、該多色マット１は網状基材１１と止滑糊材１２を具えている。該網状基材１１は任意の軟性の細縄を選択して網状形態としてなる。該止滑糊材１２は冷却成形前は糊状形態である原料とされ、例えばポリ塩化ビニル（ＰＶＣ）材料とされ、ＰＶＣ材料を溶融させた後、更に適量の、粘度を有するゴムを加え、最後に十分に混合して形成される。このほか、該止滑糊材１２はプラスチック粉、可塑剤、安定剤及び発泡剤等を更に混合したものとされうる。
【００１５】
必要な多色マット１を完成するためには、まず必要な異なる色系の顔料１３を前述の止滑糊材１２を入れた容器内に加え、止滑糊材１２自体の粘性と緩慢な流動性により各種色系の顔料１３を相互に混合（或いは拡散）させず、輸送用途のローラを利用して網状基材１１を駆動しゆっくりと該容器内を通過させ、網状基材１１の表面に自然に適量の且つ顔料１３を具えた止滑糊材１２を均一にコーティングする。更に発泡成形と乾燥硬化を行ない、表円に各種の異なる顔料１３が配置され且つ区画された多色マット１を形成し、それに止滑硬化、及び美しい外観による美化機能を具備させる。
【００１６】
前述の止滑糊材１２はポリ塩化ビニル（ＰＶＣ）を主要な材料とする以外に、環境調和型高分子樹脂（Ｅｎｖｉｒｏｎｍｅｎｔａｌｌｙ−ｆｒｉｅｎｄｌｙ  Ｒｅｓｉｎ；ＰＥＲ）を主要な材料としてもよく、この環境調和型高分子樹脂（ＰＥＲ）の機能は、伝統的なＰＶＣと同等で、例えば、止滑、防水、防湿或いは斜陽等の機能を具備するが、ＰＶＣは燃焼或いは太陽照射下で有害な気体を発生することはなく、且つ環境調和型高分子樹脂（ＰＥＲ）自身は無毒であり、このため、環境調和型高分子樹脂（ＰＥＲ）は融合後に加工可能な材料とされるほか、摂氏１２００度の高温で燃焼した後に、二酸化炭素と水及び少量の塩素に分解され、その発生する塩素ガスは人々が日常生活で飲用する水道水に含まれる含有量より低い。このため伝統的なＰＶＣの代わりにＰＶＣ機能を利用する必要のある各種製品に使用可能で、各種製品を太陽光線の照射下で使用したり、或いは着火したり、或いは燃焼させる時のいずれの場合も人体に有害な気体を発生しない高い環境保護機能を具備する。
【００１７】
図３に示されるように、ポリウレタン（ＰＵ）材料をスクリーン印刷方式で前述の多色マット１の上に印刷すれば、多色マット１上に所定の図形パターン２が形成される。
【００１８】
好ましい方式としては、仮に前述の多色マット１が六等分されているとすると、図形パターン２はその中間の四等分部分に形成されるのが好ましい。これにより運動者は自由に中間の四等分の比較的スムースな部分を選択して運動するか、或いはその両側のスムースでない部分を選択して運動することができる。
【００１９】
本考案は運動用マット自身（即ち完成後の多色マット１）が既に良好な止滑機能を具備し、ＰＵ材料の図形パターン２がスムースな機能を具備し、本考案は即ちこの二種類の機能を整合させ、且つ図形パターン２と多色マット１の間は相互に交錯し且つ離間するよう設けられ、本考案の運動用マットはこれによりスムースとスムースでない特殊な機能を共に具備するものとされ、運動者に受け入れられるものとされている。
【００２０】
また、本考案の運動用マットは、色落ちしにくい複数の色を有し（各色はいずれもマットと一体成形されているため）、外観が良く、変化に富み単調でない。
【００２１】
本考案はその上の図形パターン２が運動種類に合わせて設けられ、例えばヨガ用マットであればインド風図形パターンを具備するものとされ、これにより外観が良くされ、またインド風情を有するものとされ、ヨガがインドから伝来したという事実に符合する。
【００２２】
本考案はその多色マット１が環境調和型高分子樹脂（ＰＥＲ）を主要な材料とし、環境調和特性を具備している。
【００２３】
本考案はそのスムースな図形パターン２がその中間の六分の四の部分に設けられ、その両側の六分の１の部分はスムースでない部分とされ、これにより運動者が自由にスムースである部分と非スムースな部分を選択して運動することができる。
【００２４】
以上の実施例は本考案の権利請求範囲を限定するものではなく、本考案に基づきなしうる細部の修飾或いは改変は、いずれも本考案の権利請求範囲に属するものとする。
【図面の簡単な説明】
【００２５】
【図１】本考案の多色マットの形成過程を示す立体図である。
【図２】本考案の多色マットの立体図である。
【図３】本考案の図形パターン形成後の運動用マットの立体図である。
【符号の説明】
【００２６】
１  多色マット            １１  網状基材          １２  止滑糊材
１３  顔料
２  図形パターン
【図１】
0003105101.tif 000003
【図２】
0003105101.tif 000004
【図３】
0003105101.tif 000005